(57)【要約】【課題】  子どもがカケッコで転倒したり、お年寄りが歩行中に転倒して骨折・寝たきりになることが問題になっている。足の裏が地面を確実に捉えられないために、身体のバランスが崩れやすくなっているからであるという。  対策として、足の指の間に手の指を差し込んで、足の指全体を上下に繰り返し曲げる体操が推奨されているが、手の指を足指間に入れることが難しい。【解決手段】  草履や下駄の形の履物において、従来、足が乗る台部に三つの穴を開けて挿げていた鼻緒の代わりに、足の指に適宜巻きつけた緒（お）の一部を台部に挿げて、足の指のみで履くことを特徴とする履物。ヒモを足指に巻きつけ、タイトに密着させることで、歩行時に脱げないようにした。【選択図】図１
2015131084.tif 000002
【特許請求の範囲】
【請求項１】
ヒモを足指に適宜巻きつけて、ヒモの一部を履物の台ないし底部に結着して、足指で歩くようにした履物
【請求項２】
履物の台ないし底部には凹凸を付け、あるいは部分的に固さを変えてあることを特徴とする請求項１記載の履物
【発明の詳細な説明】
【技術分野】
【０００１】  この発明は、足指体操ができる履物に関する。
【背景技術】
【０００２】  最近の履物は、サイズやハイヒールなどの靴の形状によって、正常な足関節の動きと違う動き・歩き方などによって、結果的に足指を使わない、或いは使えない状態になっている。
足指が浮いた状態だと踵に体重がのりやすくなるためバランスにも影響する。外反母趾、浮き指などの足指のトラブルにより、足の裏が地面を確実に捉えられないために、身体のバランスが崩れやすくなっているからである。具体的には、子どもがカケッコで転倒したり、お年寄りが歩行中に転倒して骨折・寝たきりになることが問題になっている。【０００３】  対策として、足の裏、特に足指が地面を確実に捉えられるように、足の指の間に手の指を差し込んで足指間隔を広げ、足の指全体を上下に繰り返し曲げる体操が推奨されている。
目的は若干異なるが、足の指の間に手の指を入れる代わりに、足指間に緒の形のスペーサを挟む形のスリッパが特許文献３で提案されている。
単に足指の間にスペーサを入れたり、巻きつける方法は、特許文献１，２，４で提案されている。
なお、一般のスリッパやサンダルで、足指の間に鼻緒を追加したものがあるが、これらは足の甲で履物を運んでいるので、足指を鍛えることが出来ない。
【先行技術文献】
【特許文献】
【０００４】
【特許文献１】実用新案第３１２５６００号広報
【特許文献２】特開２００８−１５４９８０号公報
【特許文献３】特開２００９−６１２４０号公報
【特許文献４】特開２０１０−６８８９７号公報
【発明の概要】
【発明が解決しようとする課題】
【０００５】    足の指全体を上下に繰り返し曲げる体操は、足指の間隙と手指の太さは一般に同じではないので、特に手指の方が太い場合は足指と手指を組むのは簡単でない。そこで本発明の課題は、これと同様の効果を出す履物を提供することにある。
特許文献３のスリッパは、足の各指とスペーサとしての緒の部材に少なからぬ隙間があるので、スリッパが脱げやすい。畢竟、スリッパを引きずって歩くようになるので、足指を使うという効果が得られにくい。
そこで、この発明は、足指が各指の鼻緒から抜けにくい履物を提供することを課題とする。
なお、特許文献１，２，４は足指間のスペーサのみに言及している。
【課題を解決するための手段】
【０００６】  草履や下駄あるいはスリッパの形の履物において、従来、草履や下駄で足が乗る台部に三つの穴を開けて挿げていた鼻緒の代わりに、足の指に適宜巻きつけた緒（お）の一部を履物の台に挿げて、足の指のみで履いて歩けるようにした。
すなわち、ヒモを足指に適宜巻きつけて、ヒモの一部を履物の台ないし底部に結着して、足指で歩くようにする。さらに、履物の台ないし底部に凹凸を付け、あるいは部分的に固さを変えることで、足指の運動の効果が増幅する。
【発明の効果】
【０００７】  従来の履物、特に密閉型の履物の着用によって圧迫されていた指は、履物のヒモによって足指が開かれるので踏ん張ることが可能となり、また足指の上下方向の屈曲運動が可能となり足指筋力が強化される。本発明によれば、指と緒がタイトに密着するので、歩行時に履物が脱げることがない。
【図面の簡単な説明】
【０００８】
【図１】この発明の一実施形態を示す斜視図である。
【図２】ヒモ（１）とヒモ（２）を足指および履物の台（３）に巻きつけた状態を示す正面図
【図３】一本のヒモ（１１）を足指および履物の台（３）に巻きつけた状態を示す正面図
【図４】一本のヒモ（１２）を足指および履物の台（３）に巻きつけた状態を示す正面図
【図５】各足指と履物の台（３）に、別々のヒモ（１３１〜１３５）をそれぞれ巻きつけた状態を示す正面図
【図６】一本のヒモ（１４）を足の各指の上側と、履物の台（３）に結着した結合部材（１５）の輪の部分に通した状態を示す正面図
【図７】履物の台（３）に結着した結合部材（１５）を示す、図６    のＡ断面図
【図８】他の実施形態を示す斜視図である。
【図９】２本のヒモ（１６）（１７）を足指に巻きつけ、足の両外側に設けた乳（ち）（１８）に結合した状態を示す正面図
【図１０】図９の乳として留め具（１９）を用いた場合を示す正面図
【図１１】履物の台（３）の前部の厚さを厚くした状態を示す斜視図
【図１２】履物の台（３）の後部を無くした状態を示す斜視図
【図１３】履物の台（３）の前部の厚さを薄くした状態を示す斜視図
【発明を実施するための形態】
【０００９】  この発明の一実施形態は図１に示ように、足の指にヒモを巻きつけ、履物の台にヒモの一部を結着させた履物の形である。ヒモの巻き付け方、あるいは履物の台にヒモの一部を結着させる方法は種々あり、その例を図２〜図１０に示す。ゴム入りのヒモも締めやすい。
図２は、二本のヒモ（１、２）を用いて交互に足指に巻き、指の下部ではヒモを履物の台（３）の下に通す。最後にヒモを両側から引っ張って、足指を両側のヒモでしっかり結ぶ。
図３、図４は、一本のヒモを足指と履物台に通した例である。結び目は一ヶ所である。
図５は、各指ごとにヒモで結ぶ。
図６、図７は、普段は履物の台（３）に結着した結合部材（１５）にヒモを通したままにしておいて、足指を入れた後、ヒモを締める。
図８、図９は、指に巻きつけた二本のヒモの両端を、履物の台（３）に結着した乳（ち）（１８）に結わえたり、面ファスナを使って結合する。図１０は乳（１８）を留め具（１９）の形にした例である。履物の台（３）と結合した留め具（１９）の、適宜な直径の穴にヒモ（１６、１７）を通すことで、二本のヒモを締めて履物の台に固定できる。
図１１〜図１３は、履物の台（３）の足に対する長さを変えたり、台の一部を厚くする例である。台の厚さが薄いところや無いところを、厚い所と同じ厚さの台として材質の固さを柔らかくすることでも、足裏への反発力として同じ効果が得られる。
「実施形態の効果」
如上の履物により、足指を使っても脱げることなく歩く事ができる。特にヒモを引っ張ることで指を履物に密着させられる。この履物で歩けば、足の裏、特に足指が地面を確実に捉えられるような足指間および足指全体を揉み解すような力が発生する。従って、足の指の間に手の指を差し込んで足指間隔を広げ、足の指全体を上下に繰り返し曲げる体操と同じような効果が得られ、転倒事故などの予防になる。
また履物の台（３）の一部が無かったり固さが異なる、あるいは厚さが異なるようにすれば、歩く際に身体のバランスを取る必要があるので、足指をよりよく鍛える事ができる。
なお、他の履物の中敷に応用してもよい。
【符号の説明】
【００１０】  １  ヒモ        ２  ヒモ        ３  履物の台        ４  結合部      １１  ヒモ
１２  ヒモ      １４  ヒモ      １５  結合部材      １６  ヒモ
１７  ヒモ      １８  乳（ち）  １９  留め具      １３１〜１３５  ヒモ
【図１】
2015131084.tif 000003
【図２】
2015131084.tif 000004
【図３】
2015131084.tif 000005
【図４】
2015131084.tif 000006
【図５】
2015131084.tif 000007
【図６】
2015131084.tif 000008
【図７】
2015131084.tif 000009
【図８】
2015131084.tif 000010
【図９】
2015131084.tif 000011
【図１０】
2015131084.tif 000012
【図１１】
2015131084.tif 000013
【図１２】
2015131084.tif 000014
【図１３】
2015131084.tif 000015